(57)【要約】【課題】雌側ハウジング内において、雌型端子金具が挿抜される方向に振動することを抑制する。【解決手段】雌側ハウジング４０内に後方から収容され、雄型端子金具６１と導通可能に接続される雌型端子金具２０であって、雄型端子金具６１の雄側接続部６２が前方から後方に向かって内部に挿入される雌側接続部２１と、雌側接続部２１内に弾性変形可能に設けられ、前記雌側接続部内に設けられた弾性接触片２７と、雌側接続部２１に設けられ、雌側ハウジング４０に形成された端子係止部４４に後方から係止される被係止部２９Ａと、雌側接続部２１に設けられ、雌側ハウジング４０に設けられた受部４６に後方から当接する当接部３２とを備えているところに特徴を有する。【選択図】図６
2013084374.tif 000002
【特許請求の範囲】
【請求項１】
雌側ハウジング内に後方から収容され、雄型端子金具と導通可能に接続される雌型端子金具であって、
前記雄型端子金具に設けられた雄側接続部が前方から後方に向かって内部に挿入される雌側接続部と、
前記雌側接続部内に前記雄側接続部が挿入される前後方向と交差する方向に弾性変形可能に設けられ、前記雌側接続部内に挿入された前記雄側接続部に押圧されて弾性的に接触することで前記雄側接続部と導通可能に接続される弾性接触片と、
前記雌側接続部に設けられ、前記雌側ハウジング内に形成された端子係止部に後方から係止される被係止部と、
前記雌側接続部に設けられ、前記被係止部が前記端子係止部に係止された状態で、前記弾性接触片が前記雄側接続部に押圧されることで、前記雌側ハウジングに設けられた受部に後方から当接する当接部とを備えていることを特徴とする雌型端子金具。
【請求項２】
前記当接部は、前記受部と弾性的に当接可能に形成されていることを特徴とする請求項１記載の雌型端子金具。
【請求項３】
前記雌側接続部は、前記雄側接続部に押圧された前記弾性接触片に押圧される弾性片を備えており、
前記弾性片の一端には、前記被係止部が形成されており、前記弾性片の他端には、前記当接部が形成されていることを特徴とする請求項１または請求項２記載の雌型端子金具。
【請求項４】
前記当接部は、前記雌側接続部の外面から突出可能に形成されており、前記弾性片が前記弾性接触片に押圧されることで、前記当接部が前記雌側接続部から突出して前記受部に当接することを特徴とする請求項３記載の雌型端子金具。
【請求項５】
前記弾性接触片は、前記弾性片を押圧する部分が密着曲げされていることを特徴とする請求項３または請求項４記載の雌型端子金具。
【請求項６】
請求項１乃至請求項５のいずれか一項に記載の雌型端子金具と、
前記雌型端子金具を内部に収容する雌側ハウジングとを備えたコネクタ。
【発明の詳細な説明】
【技術分野】
【０００１】
本発明は、雌型端子金具およびコネクタに関する。
【背景技術】
【０００２】
従来、雌側ハウジング内に保持され、雄型端子金具に導通可能に接続される雌型端子金具として、特許文献１に記載のものが知られている。この雌型端子金具は、雄型端子金具に設けられた雄側接続部を内部に収容する雌側接続部を備えている。雌側接続部の内部には、弾性変形可能な弾性接触片が設けられており、雌側接続部内に雄側接続部が収容されると、雌側接続部の内面と弾性接触片によって、雄側接続部を挟持することで、雄型端子金具と雌型端子金具とが導通可能に接続される。また、雌側接続部における弾性接触片よりも奥部には、雄側接続部の挿入方向である前後方向と交差する方向に雄側接続部の先端部が振動することを規制する振動規制部が設けられており、この振動規制部が雄側接続部の先端部を支持することで、雌側接続部内において雄側接続部が前後方向と交差する方向に振動することを規制している。
【先行技術文献】
【特許文献】
【０００３】
【特許文献１】特開２００５−２５１７４１号公報
【発明の概要】
【発明が解決しようとする課題】
【０００４】
ところで、雌型端子金具は、通常、雌型端子金具に設けられた被係止部が雌側ハウジングに片持ち状に設けられた弾性変形可能な端子係止部によって後方から係止されることで、雌側ハウジング内に抜け止めされた状態に保持されている。端子係止部は、同端子係止部の基端部を支点に、端子係止部の前端部が円弧状を描くように弾性変形可能に構成されており、雌型端子金具の挿入過程で雌型端子金具との干渉により弾性変形し、雌型端子金具が正規に挿入されると弾性復帰することで、被係止部を後方から係止する。このため、雌型端子金具が正規位置まで挿入されて端子係止部が弾性復帰した状態では、雌型端子金具の被係止部と雌側ハウジングの端子係止部との間に前後方向の隙間が生じることになり、雌型端子金具の振動状況によっては、雌型端子金具が雌側ハウジング内において雌型端子金具の挿抜方向である前後方向に振動することがある。雌型端子金具が雌型端子金具の挿抜方向に振動すると、雄側接続部と弾性接触片との間で微摺動摩耗が生じ、雄側接続部と弾性接触片との間で接触抵抗が増大してしまう虞がある。
【０００５】
本発明は上記のような事情に基づいて完成されたものであって、雌側ハウジング内において、雌型端子金具が挿抜される方向に振動することを抑制することを目的とする。
【課題を解決するための手段】
【０００６】
本発明は、雌側ハウジング内に後方から収容され、雄型端子金具と導通可能に接続される雌型端子金具であって、前記雄型端子金具に設けられた雄側接続部が前方から後方に向かって内部に挿入される雌側接続部と、前記雌側接続部内に前記雄側接続部が挿入される前後方向と交差する方向に弾性変形可能に設けられ、前記雌側接続部内に挿入された前記雄側接続部に押圧されて弾性的に接触することで前記雄側接続部と導通可能に接続される弾性接触片と、前記雌側接続部に設けられ、前記雌側ハウジング内に形成された端子係止部に後方から係止される被係止部と、前記雌側接続部に設けられ、前記被係止部が前記端子係止部に係止された状態で、前記弾性接触片が前記雄側接続部に押圧されることで、前記雌側ハウジングに設けられた受部に後方から当接する当接部とを備えているところに特徴を有する。
このような構成の雌型端子金具によると、雌側接続部の被係止部が雌側ハウジングの端子係止部に後方から係止されることで雌型端子金具が後方に移動することを規制され、弾性接触片が雄型端子金具の雄側接続部に押圧されて、当接部が受部に後方から当接することにより雌側接続部が前方に移動することを規制される。これにより、雌側ハウジング内において雌型端子金具が挿抜される前後方向に振動することを抑制することができる。
【０００７】
また、本発明は、上記の雌型端子金具と、前記雌型端子金具を内部に収容する雌側ハウジングとを備えたコネクタとしてもよい。
このような構成によると、雌側ハウジング内において、雌型端子金具が挿抜される前後方向に振動することを抑制することができる。
【０００８】
本発明の実施の態様として、以下の構成が好ましい。
前記当接部は、前記受部と弾性的に当接可能に形成されている構成としてもよい。このような構成によると、当接部を受部に弾性的に当接させることで、受部に対して当接部を隙間なく当接させることができる。
【０００９】
前記雌側接続部は、前記雄側接続部に押圧された前記弾性接触片に押圧される弾性片を備えており、前記弾性片の一端には、前記被係止部が形成されており、前記弾性片の他端には、前記当接部が形成されている構成としてもよい。
このような構成によると、当接部が弾性接触片に形成されているものに比べて、当接部を受部に当接させた際に、弾性接触片の雄側接続部に対する付勢力への影響を抑制することができる。また、被係止部と当接部とが弾性片の両端に形成されているので、被係止部と当接部とが離れて形成さている場合に比べて、雌型端子金具が雌側ハウジング内において前後方向に移動する力をより確実に規制することができる。
【００１０】
前記当接部は、前記雌側接続部の外面から突出可能に形成されており、前記弾性片が前記弾性接触片に押圧されることで、前記当接部が前記雌側接続部から突出して前記受部に当接する構成としてもよい。
このような構成によると、雌側接続部の外側に初めから当接部が突出して形成されている場合に比べて、雌側接続部が大型化することを抑制すると共に、当接部によって雌側ハウジング内を傷つけることを抑制することができる。
【００１１】
前記弾性接触片は、前記弾性片を押圧する部分が密着曲げされている構成としてもよい。
このような構成によると、弾性片を押圧する部分の剛性を高くすることができる。これにより、弾性片を安定して押圧することができ、当接部を受部に確実に当接させることができる。
【発明の効果】
【００１２】
本発明によれば、雌側ハウジング内において、雌型端子金具が挿抜される方向に振動することを抑制することができる。
【図面の簡単な説明】
【００１３】
【図１】雌型端子金具の側面図
【図２】同平面図
【図３】同正面図
【図４】図１の要部破断側面図
【図５】雌型端子金具と雄型端子金具とを接続する前の状態を示す要部破断断面図
【図６】雌型端子金具と雄型端子金具とが正規の接続状態に至り、被係止部が端子係止部に後ろから係止され、受部に当接部が後方から当接している状態を示す要部破断断面図
【発明を実施するための形態】
【００１４】
＜実施形態＞
本発明の実施形態について、図１乃至図６を参照して説明する。
本実施形態は、電線Ｗの端末に接続された雌型端子金具２０であって、防水型の雌側コネクタ１０に適用した場合を例示している。
【００１５】
雌側コネクタ１０は、図５及び図６に示すように、電線Ｗの端末に固着された雌型端子金具２０と、雌型端子金具２０を内部に収容する雌側ハウジング４０を備えて構成されている。
【００１６】
雌型端子金具２０は、導電性に優れた金属板をプレス加工することによって形成されている。また、雌型端子金具２０は、雄側ハウジング６０に設けられた雄型端子金具６１が内部に挿入される雌側接続部２１と、雌側接続部２１の後方に形成されたワイヤバレル２２及びインシュレーションバレル２３とを備えて構成されている。
【００１７】
雌側接続部２１は、図１及び図５に示すように、前後方向に長い横長断面をなす角筒状に形成されている。雌側接続部２１の天井板２４の内面には、前後方向に長い二本のリブ２５が幅方向に間隔を開けて叩き出し形成されており、雌側接続部２１の底板２６の前縁下部には、下方に弾性変形可能な弾性接触片２７が設けられている。また、雌側接続部２１における底板２６の後部には、弾性接触片２７よりも後方の位置に、底板２６を上下方向に貫通する係止孔２９が形成されている。
【００１８】
弾性接触片２７は、雌側接続部２１の前縁下部から後方に向かうほど上方に延びて、その後端部が前方に向かって密着曲げされて密着部２８とされ、密着部２８から前方に向かうほど底板２６に近づくように延びて、前端部が底板２６に当接して形成されている。一方、雄型端子金具６１には、タブ状の雄側接続部６２が形成されており、雌側接続部２１の前端開口から雄型端子金具６１の雄側接続部６２が雌側接続部２１の内部に挿入されると、雄側接続部６２が弾性接触片２７を下方に押圧して、弾性接触片２７が下方に弾性変形するようになっている。そして、雄側接続部６２が弾性接触片２７と二本のリブ２５との間で弾性的に挟持されることで、図６に示すように、雌型端子金具２０と雄型端子金具６１とが導通可能に接続されるようになっている。
【００１９】
ワイヤバレル２２は、電線Ｗの被覆Ｗ１を皮剥ぎし、露出した芯線Ｗ２にかしめ圧着されることで、雌型端子金具２０が電線Ｗに導通可能に接続されている。
インシュレーションバレル２３は、電線Ｗの被覆Ｗ１の端末に外嵌されたゴム栓Ｗ３にかしめ圧着されることで、雌型端子金具２０とゴム栓Ｗ３とが電線Ｗの端末に固定されている。
【００２０】
雌側ハウジング４０は、合成樹脂製であって、図５及び図６に示すように、雄側ハウジング６０に設けられたフード状の雄側収容部６３内に嵌合可能な嵌合部４１を備えている。
【００２１】
嵌合部４１には、ゴムリング４２が外嵌されている。ゴムリング４２は、雌側ハウジング４０と雄側ハウジング６０とが嵌合され、嵌合部４１が雄側収容部６３内の正規の位置まで挿入されると、嵌合部４１の外周面と雄側収容部６３の内周面とに全周に亘って密着することで、嵌合部４１と雄側収容部６３の内面との間をシールするようになっている。
【００２２】
嵌合部４１の内部には、雌型端子金具２０が収容される端子収容孔４３が嵌合部４１を前後方向に貫通して形成されている。
端子収容孔４３の前端開口は、前方から雄型端子金具６１の雄側接続部６２が挿通可能とされ、端子収容孔４３の後端開口は、後方から雌型端子金具２０が挿入可能とされている。
【００２３】
端子収容孔４３の前部には、雌型端子金具２０の雌側接続部２１が適合して収容されるようになっており、端子収容孔４３の前後方向略中央部には、端子収容孔４３に収容された雌型端子金具２０を後方に抜け止めする端子係止部４４が形成されている。
【００２４】
端子係止部４４は、端子収容孔４３の底面から前方へ片持ち状に延びて形成されており、端子係止部４４の先端部には、雌型端子金具２０の係止孔２９に収容可能な係止突起４５が上方に突出して形成されている。また、端子係止部４４は、端子係止部４４の基端部を支点に端子係止部４４の自由端である先端部が下方に弾性変形可能に形成されている。このため、端子係止部４４が弾性変形または弾性復帰すると、係止突起４５は、円弧状の移動軌跡を描くようになっている。
【００２５】
係止突起４５は、端子収容孔４３の後方から雌型端子金具２０が挿入されると、雌型端子金具２０の雌側接続部２１と干渉する。さらに、雌型端子金具２０が端子収容孔４３に挿入されると、雌側接続部２１によって係止突起４５が下方に押圧されて端子係止部４４が下方に弾性変形する。雌型端子金具２０が端子収容孔４３の正規の位置に至ると、係止突起４５が雌側接続部２１の係止孔２９に収容されて端子係止部４４が弾性復帰し、係止孔２９の前端開口縁に形成された被係止部２９Ａが後方から端子係止部４４によって係止されることで、雌型端子金具２０が端子収容孔４３に抜け止めされる。なお、端子係止部４４が端子係止部４４の基端部を支点に弾性変形することから、端子係止部４４が弾性復帰した状態では、雌型端子金具２０の被係止部２９Ａと雌側ハウジング４０の端子係止部４４との間には、前後方向の隙間が空くことになる。このため、雌型端子金具２０は、端子収容孔４３内で雌型端子金具２０の挿抜方向である前後方向に僅かに移動可能となっている。
【００２６】
端子収容孔４３の後端開口の内側には、雌型端子金具２０と共に電線Ｗに外嵌されたゴム栓Ｗ３が配され、ゴム栓Ｗ３が端子収容孔４３の内周面に全周に亘って密着することで、端子収容孔４３と電線Ｗとの間がシールされるようになっている。これにより、端子収容孔４３は、嵌合部４１に外嵌されたゴムリング４２と、電線Ｗに外嵌されたゴム栓Ｗ３とによって、液密状にシールされている。
【００２７】
さて、雌型端子金具２０の雌側接続部２１内には、係止孔２９の前縁である被係止部２９Ａから前方に向かって山形状に折り返された弾性片３０が形成されており、弾性片３０の下方には、雌側接続部２１の底板２６を上下方向に貫通する貫通孔３１が形成されている。
【００２８】
弾性片３０は、山形状の頭頂部３０Ａが弾性接触片２７の密着部２８の下方に配されるように形成されており、弾性接触片２７が下方に弾性変形すると、弾性接触片２７に上方から押圧され、弾性片３０の先端部が貫通孔３１を通して雌側接続部２１の外面から外方に突出するように設定されている。また、弾性片３０の先端部は、上方に向かって折り返されることで前後方向に弾性変形可能に形成された当接部３２とされている。
【００２９】
一方、雌側ハウジング４０における端子収容孔４３の底面には、端子係止部４４の前方に受部４６が形成されている。受部４６は、端子係止部４４と対向して形成されており、端子収容孔４３に収容された雌側接続部２１における貫通孔３１の前縁の真下に配されている。このため、弾性片３０の当接部３２が雌側接続部２１から外方に突出すると、受部４６に後方から当接部３２が当接し、当接部３２が受部４６を後方から弾性的に押圧するようになっている。
【００３０】
本実施形態の雌型端子金具２０は、上記のような構成であって、雌側ハウジング４０と雄側ハウジング６０とを嵌合させた際の作用効果を説明する。
まず、雌側ハウジング４０と雄側ハウジング６０とを向かい合わせに用意して、図５に示すように、雄側ハウジング６０の雄側収容部６３内に雌側ハウジング４０の嵌合部４１を嵌合させる。
【００３１】
雄側収容部６３内に嵌合部４１が半分ほど嵌合されたところで、雄型端子金具６１の雄側接続部６２が端子収容孔４３の前端開口から端子収容孔４３に進入し、雄側接続部６２と弾性接触片２７が干渉する。さらに、両ハウジング４０，６０を嵌合させると、弾性接触片２７が雄側接続部６２に上方から押圧されて下方に弾性変形する。すると、弾性接触片２７の密着部２８が弾性片３０の山形状の頭頂部３０Ａに当接して頭頂部３０Ａを下方に押圧することで、弾性片３０が下方に弾性変形して弾性片３０の当接部３２が雌側接続部２１の外面から外方に突出する。
【００３２】
雌側接続部２１から突出した当接部３２は、雌側ハウジング４０の受部４６に後方から当接し、図６に示すように、受部４６を後方から弾性的に押圧した状態となる。すなわち、雌側ハウジング４０の端子係止部４４が雌側接続部２１の被係止部２９Ａを後方から係止して、雌側接続部２１の当接部３２が雌側ハウジング４０の受部４６を前方に押圧することで、雌側端子金具２０が端子収容孔４３内において前後方向に振動することを規制することができる。なお、両ハウジング４０，６０が正規に嵌合され、雄側収容部６３内において嵌合部４１が正規の位置に至ると、雄側接続部６２は、弾性接触片２７と二本のリブ２５との間で弾性的に挟持されて雌型端子金具２０と雄型端子金具６１とが導通可能に接続される。
【００３３】
以上のように、本実施形態によると、雌側ハウジング４０と雄側ハウジング６０とが正規の嵌合状態に至ると、端子収容孔４３内において雌側端子金具２０が前後方向に移動（振動）することを規制することができる。これにより、雄側接続部６２と弾性接触片２７との間で微摺動摩耗が生じることを抑制し、雄側接続部６２と弾性接触片２７との間で接触抵抗が増大することを抑制することができる。
また、本実施形態によると、弾性片３０の当接部３２が雌側ハウジング４０の受部４６に対して弾性的に当接することから、受部４６と当接部３２とを隙間なく当接させることができ、雄側接続部６２と弾性接触片２７との間で微摺動摩耗が生じることをさらに抑制することができる。
【００３４】
また、本実施形態によると、弾性接触片２７の密着部２８は、密着曲げされて形成されているので、密着部２８の剛性を高くすることができる。これにより、密着部２８によって弾性片３０を安定して押圧することができ、当接部３２を受部４６に確実に当接させることができる。
【００３５】
また、本実施形態によると、雌型端子金具２０を端子収容孔４３に挿入する際には、当接部３２が雌側接続部２１内に収容されており、雄型端子金具６１と雌型端子金具２０とが導通可能に接続されることで、当接部３２が雌側接続部２１から突出した形態となるので、雌側接続部２１が大型化することを抑制すると共に、雌型端子金具２０を端子収容孔４３内に収容する際に、当接部３２によって端子収容孔４３の内面を傷つけることを抑制することができる。
【００３６】
ところで、弾性接触片の先端に当接部を一体に形成することで、弾性接触片の先端に形成された当接部を後方から雌側ハウジング４０の受部４６に当接させる構成も考えられるが、弾性接触片と当接部とが一体に形成されていると当接部が受部４６に当接した際に、弾性接触片の雄側接続部６２に対する付勢力に影響がでる虞がある。ところが、本実施形態によると、弾性接触片２７と弾性片３０とが雌側接続部２１に別々に形成されていることから、当接部が弾性接触片に形成されているものに比べて、弾性接触片２７の雄側接続部６２に対する付勢力への影響を抑制することができる。
更に、被係止部２９Ａと当接部３２とは、弾性片３０の両端に形成されているので、被係止部と当接部とが離れて形成された雌側接続部に比べて、雌側接続部２１が前後方向に移動する力をより確実に規制することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、弾性片３０の先端部を屈曲させることで当接部３２を受部４６に対して弾性的に当接させる構成としたが、本発明はこのような態様に限定されるものではなく、例えば、弾性片の先端部に直線的に形成された当接部を後方から受部４６に当接させる構成にしてもよい。
（２）上記実施形態では、弾性片３０の両端部に被係止部２９Ａと当接部３２を形成した構成としたが、本発明はこのような態様に限定されるものではなく、例えば、雌側接続部２１の天井板２４に被係止部を形成してもよい。
（３）上記実施形態では、弾性接触片２７を密着曲げすることで密着部２８の剛性を高くした構成としたが、本発明はこのような態様に限定されるものではなく、例えば、密着部２８の板厚を厚くすることで剛性を高くしてもよい。
【符号の説明】
【００３８】
２０：雌型端子金具
２１：雌側接続部
２７：弾性接触片
２９Ａ：被係止部
３０：弾性片
３２：当接部
４０：雌側ハウジング
４４：端子係止部
４６：受部
６１：雄型端子金具
６２：雄側接続部
【図１】
2013084374.tif 000003
【図２】
2013084374.tif 000004
【図３】
2013084374.tif 000005
【図４】
2013084374.tif 000006
【図５】
2013084374.tif 000007
【図６】
2013084374.tif 000008